(57)【要約】【課題】シールを所定の位置に配置した状態で蓋部材を変圧器ケース本体に装着できて、優れたシール機能を発揮することができる柱上変圧器、及び柱上変圧器に最適な柱上変圧器用シールを提供する。【解決手段】柱上変圧器用シールＳは、蓋部材４が変圧器ケース本体２に装着された状態で、蓋部材４と変圧器ケース本体２との間を密封する。シールＳは、変圧器ケース本体２の湾曲フック状部１に嵌合する嵌合凹部１２を有する。嵌合凹部１２に湾曲フック状部１が嵌合した状態で、シールＳの上面１６が蓋部材４の内面１７に圧接すると共に、シールの嵌合凹部１２の嵌合内面１３が湾曲フック状部１の外面９に圧接する。【選択図】    図１
2004281852.tif 000002
【特許請求の範囲】
【請求項１】
開口端縁部が外方側に湾曲してなる湾曲フック状部（１）に形成された変圧器ケース本体（２）と、この変圧器ケース本体（２）の開口部（３）を塞ぐ蓋部材（４）との間を密封する柱上変圧器用シールであって、上記変圧器ケース本体（２）の湾曲フック状部（１）が嵌合する嵌合凹部（１２）を有し、この嵌合凹部（１２）に上記湾曲フック状部（１）が嵌合した状態で、その平坦状の上面（１６）が蓋部材（４）の内面（１７）に圧接すると共に、その嵌合凹部（１２）の曲面状の嵌合内面（１３）が上記湾曲フック状部（１）の外面（９）に圧接することを特徴とする柱上変圧器用シール。
【請求項２】
上記嵌合凹部（１２）に上記湾曲フック状部（１）が嵌合した状態で、ケース軸心方向の抜けを防止する第１突部（１４）を有することを特徴とする請求項１の柱上変圧器シール。
【請求項３】
上記第１突部（１４）は、嵌合凹部（１２）内に設けられて湾曲フック状部（１）の下方を向く先端縁（１ａ）に相対面することを特徴とする請求項２の柱上変圧器用シール。
【請求項４】
上記嵌合凹部（１２）に湾曲フック状部（１）が嵌合した状態で、このケース外周方向への抜けを防止する第２突部（１５）を有することを特徴とする請求項１〜請求項３のいずれかの柱上変圧器用シール。
【請求項５】
上記第２突部（１５）は、嵌合凹部（１２）内に設けられて内周側から湾曲フック状部（１）を受けることを特徴とする請求項４の柱上変圧器用シール。
【請求項６】
開口端縁部が外方側に湾曲してなる湾曲フック状部（１）に形成された変圧器ケース本体（２）と、この変圧器ケース本体（２）の開口部（３）を塞ぐ蓋部材（４）とを有し、上記蓋部材（４）が変圧器ケース本体（２）に装着された状態で、蓋部材（４）と変圧器ケース本体（２）との間を、上記請求項１〜請求項５のいずれかのシール（Ｓ）にて密封することを特徴とする柱上変圧器。
【発明の詳細な説明】
【０００１】
【発明の属する技術分野】
この発明は、柱上変圧器用シール及び柱上変圧器に関するものである。
【０００２】
【従来の技術】
柱上変圧器は電柱上に配置される変圧器であって、図３に示すように、変圧器ケース本体５１と、この変圧器ケース本体５１の開口部５２を塞ぐ蓋部材５３とを有するケース５４を備える。そして、蓋部材５３を変圧器ケース本体５１に装着する場合、締付部材５５にて、蓋部材５３を変圧器ケース本体５１に対して締付けるように取付けていた。
【０００３】
すなわち、変圧器ケース本体５１はその上方開口部に外方側に湾曲してなる湾曲フック状部５６を有し、蓋部材５３は、上壁部５７と、この上壁部５７の外周縁から垂下される周壁５８とを有する。そして、蓋部材５３を、その周壁５８が湾曲フック状部５６を外嵌するように被せる。この際、変圧器ケース本体５１の湾曲フック状部５６と蓋部材５３との間に変圧器用シール（ガスケット）Ｓを介在させる、また、締付部材５５は、受け部６０と、締付金具６１とを有する。すなわち、締付金具６１は、蓋部材５３の上壁５７を押圧する押圧部６２と、受け部６０の上端縁に係合する係合部５９とを有し、このボルト部材６３が挿入されている。また、受け部６０は、ボルト受金具６４を有し、ボルト受金具６４に上記ボルト部材６３が螺着される。このため、ボルト部材６３を螺進させれば、このボルト部材６３がボルト受金具６４内に侵入して、締付金具６１の押圧部６２が蓋部材５３を変圧器ケース本体５１側へ押し付けることになる。これによって、蓋部材５３が変圧器ケース本体５１に対して締付けられた状態で装着され、その際、シールＳが湾曲フック状部５６と蓋部材５３の上壁５７とに圧接して、変圧器ケース本体５１は密封される。
【０００４】
【発明が解決しようとする課題】
ところで、図３に示す従来の変圧器では、シール（ガスケット）Ｓは、平板リング体にて構成され、蓋部材５３を装着する際に、シールＳを湾曲フック状部５６と蓋部材５３との間に介在させる必要がある。そこで、従来では、シールＳを接着剤にて蓋部材５３に接着した状態でこの蓋部材５３を変圧器ケース本体５１に被せていた。そのため、変圧器の組立て作業において、面倒な接着工程を必要としていた。また、シールＳを接着する際に位置ずれが生じる場合があり、位置ずれが生じると、シールＳが湾曲フック状部５６と蓋部材５３の上壁５７とに正確に圧接せず、このシールＳを使用した密封効果を十分に発揮することができないおそれがあった。
【０００５】
この発明は上記従来の欠点を解決するためになされたものであって、その目的は、シールを所定の位置に配置した状態で蓋部材を変圧器ケース本体に装着できて、優れたシール機能を発揮することができる柱上変圧器、及び柱上変圧器に最適な柱上変圧器用シールを提供することにある。
【０００６】
【課題を解決するための手段】
そこで請求項１の柱上変圧器用シールは、開口端縁部が外方側に湾曲してなる湾曲フック状部１に形成された変圧器ケース本体２と、この変圧器ケース本体２の開口部３を塞ぐ蓋部材４との間を密封する柱上変圧器用シールであって、上記変圧器ケース本体２の湾曲フック状部１が嵌合する嵌合凹部１２を有し、この嵌合凹部１２に上記湾曲フック状部１が嵌合した状態で、その平坦状の上面１６が蓋部材４の内面１７に圧接すると共に、その嵌合凹部１２の曲面状の嵌合内面１３が上記湾曲フック状部１の外面９に圧接することを特徴としている。
【０００７】
上記請求項１の柱上変圧器用シールでは、嵌合凹部１２に変圧器ケース本体２の湾曲フック状部１が嵌合するので、上記蓋部材４を変圧器ケース本体２に装着する際に、この嵌合状態とすれば、このシールが変圧器ケース本体２から落下したり、位置ずれを起したりすることがない。また、このシールは、その平坦状の上面１６が蓋部材４の内面１７に圧接すると共に、その嵌合凹部１２の曲面状の嵌合内面１３が湾曲フック状部１の外面９に圧接するので、上記蓋部材４と変圧器ケース本体２との間において優れたシール機能を発揮することができる。
【０００８】
請求項２の柱上変圧器用シールは、上記嵌合凹部１２に上記湾曲フック状部１が嵌合した状態で、ケース軸心方向の抜けを防止する第１突部１４を有することを特徴としている。
【０００９】
上記請求項２の柱上変圧器用シールでは、第１突部１４にて、湾曲フック状部１からのケース軸心方向の抜けを防止することができるので、安定した状態で蓋部材４を変圧器ケース本体２に装着することができる。
【００１０】
請求項３の柱上変圧器用シールは、上記第１突部１４は、嵌合凹部１２内に設けられて湾曲フック状部１の下方を向く先端縁１ａに相対面することを特徴としている。
【００１１】
上記請求項３の柱上変圧器用シールでは、第１突部１４は、湾曲フック状部１の下方を向く先端縁１ａに相対面するので、ケース軸心方向の抜けを確実に防止することができる。
【００１２】
請求項４の柱上変圧器用シールは、上記嵌合凹部１２に湾曲フック１が嵌合した状態で、このケース外周方向への抜けを防止する第２突部１５を有することを特徴としている。
【００１３】
上記請求項４の柱上変圧器用シールでは、第２突部１５にて、ケース外周方向への湾曲フック状部１からの抜けを防止するので、安定した状態で蓋部材４を変圧器ケース本体２に装着することができる。
【００１４】
請求項５の柱上変圧器用シールは、上記第２突部１５は、嵌合凹部１２内に設けられて内周側から湾曲フック状部１を受けることを特徴としている。
【００１５】
上記請求項５の柱上変圧器用シールでは、第２突部１５は、内周側から湾曲フック状部１を受けるので、ケース外周方向への抜けを確実に防止することができる。
【００１６】
請求項６の柱上変圧器は、開口端縁部が外方側に湾曲してなる湾曲フック状部１に形成された変圧器ケース本体２と、この変圧器ケース本体２の開口部３を塞ぐ蓋部材４とを有し、上記蓋部材４が変圧器ケース本体２に装着された状態で、蓋部材４と変圧器ケース本体２との間を、上記請求項１〜請求項５のいずれかのシールＳにて密封することを特徴としている。
【００１７】
上記請求項６の柱上変圧器では、上記蓋部材４が変圧器ケース本体２に装着された状態で、蓋部材４と変圧器ケース本体２との間を、上記請求項１〜請求項５のいずれかのシールＳにて密封するので、これらのいずれかのシールＳが有する作用効果を有効に発揮することができ、特に、組立作業の容易化を図ることができると共に、確実な密封シール効果を得ることができる。
【００１８】
【発明の実施の形態】
次にこの発明の柱上変圧器の具体的な実施の形態について図面を参照しつつ詳細に説明する。図１は、この発明の柱上変圧器の柱上変圧器用ケースＣの要部断面図を示し、柱上変圧器用ケースＣは、上記した従来の柱上変圧器用ケースと同様、開口端縁部が外方側に湾曲してなる湾曲フック状部１に形成された変圧器ケース本体２と、この変圧器ケース本体２の開口部３を塞ぐ蓋部材４とを備える。そして、蓋部材４は、上壁５と、この上壁５の周縁部から垂下される周壁６とを有する。この場合、蓋部材４の上壁５は、上方側に膨出した本体部８と、上記図３に示した従来のケース５４の締付部材５５と同様の締付部材２０の押圧部２１にて押圧される平板部７とからなり、この平板部７と変圧器ケース本体２の湾曲フック状部１との間に、柱上変圧器用シールＳが介装される。
【００１９】
柱上変圧器用シールＳはリング体であって、例えば、硬度が５０°〜７０°のＮＢＲ（ニトリルゴム）が使用される。そして、柱上変圧器用シールＳは、図１と図２に示すように、その内周面１０と下面１１とのコーナ部に断面形状が略四半円状の嵌合凹部１２が設けられている。この場合、嵌合凹部１２の曲面状の嵌合内面１３の曲率半径が、湾曲フック状部１の外面（上端面）９の曲率半径と略同一に設定される。
【００２０】
また、嵌合凹部１２の嵌合内面１３の下端部には第１突部１４が設けられ、嵌合凹部１２の嵌合内面１３の内径側の端部には第２突部１５が設けられている。そして、嵌合凹部１２に湾曲フック状部１が嵌合された状態では、第１突部１４は、湾曲フック状部１の下方を向く先端縁１ａに相対面して、このシールＳのケース軸心方向の抜けを防止する。また、第２突部１５は、内周側から湾曲フック状部１を受けてケース外周方向への抜けを防止する。すなわち、嵌合した状態にて、シールＳがケース軸心方向に押上られたとしても、第１突部１４が湾曲フック状部１の先端縁１ａに係止して、その抜けが規制される。また、シールＳに対して外径方向への押圧力が作用しても、第２突部１４が湾曲フック状部１の内径側に係止して、その抜けが規制される。さらに、このシールＳの上面１６は、蓋部材５の平面部７の下面（内面）１７を受ける平坦面とされている。また、シールＳは、その外径寸法Ｄが上記蓋部材４の周壁６の内径寸法よりも小さく設定され、その外周面１９が蓋部材４の周壁６の内周面１８に相対面している。なお、シールＳの内径寸法ｄが変圧器ケース本体２の内径寸法と略同一に設定される。
【００２１】
次に、上記のように構成される柱上変圧器用ケースＣにおいて、変圧器ケース本体２に蓋部材４を装着する方法を説明する。まず、変圧器ケース本体２の開口端部の湾曲フック状部１に、シールＳの嵌合凹部１２を嵌合させる。この際、シールＳの弾性を利用して嵌合させることになり、上記突部１４、１５を有していてもこの嵌合は可能である。そして、嵌合した状態では、嵌合凹部１２の曲面状の嵌合内面１３に湾曲フック状部１の湾曲した外面９が当接状となって、第１突部１４にてケース軸心方向の抜けが防止されると共に、第２突部１５にて外径方向の抜けが防止される。このため、シールＳは変圧器ケース本体２の開口端部に位置ずれすることなく装着されて、その状態を維持することができる。
【００２２】
その後、蓋部材４を、シールＳが装着された変圧器ケース本体２に被せる。その際、シールＳの上面１６に蓋部材４の平板部７が載置される。そして、この状態で、締付部材２０の押圧部２１にて蓋部材４の平板部７をその上面から押圧するようにして、蓋部材４を変圧器ケース本体２に対して締付ける。これによって、嵌合凹部１２に湾曲フック状部１が嵌合した状態で、シールＳは、その平坦状の上面１６が蓋部材４の内面１７に圧接すると共に、その嵌合凹部１２の曲面状の嵌合内面１３が上記湾曲フック状部１の外面９に圧接し、変圧器ケース本体２は密封される。なお、シールＳは、その外径寸法Ｄが上記蓋部材４の周壁６の内径寸法よりも小さく設定されているので、蓋部材４を変圧器ケース本体２に対して被せ易いと共に、締付けた際に、シールＳの上面１６に対して蓋部材４の平板部７の内面１７を圧接させ易い利点がある。これに対して、シールＳの外径寸法Ｄが大きくて、締付ける前にシールＳの外周面１９が蓋部材４の周壁６の内周面１８に当接していれば、締付けた際に、蓋部材４の平板部７の内面１７にてシールＳの上面を十分な押圧力で押圧しにくい場合がある。
【００２３】
上記柱上変圧器によれば、嵌合凹部１２が変圧器ケース本体２の湾曲フック状部１に嵌合するので、上記蓋部材４を変圧器ケース本体２に装着する際、シールＳが変圧器ケース本体２から落ちたり、位置ずれを起したりすることがない。特に、第１突部１４にてケース軸心方向の抜けを防止することができ、第２突部１５にてケース外周方向への抜けを防止することができるので、安定した状態で蓋部材４を変圧器ケース本体２に確実に装着することができる。このため、接着剤等を使用した接着工程を行う必要がなく、蓋部材の組み付け作業性は容易となると共に、作業時間の短縮を達成できる。しかも、シールＳは、その平坦状の上面１６が蓋部材４の内面１７に圧接すると共に、その嵌合凹部１２の曲面状の嵌合内面１３が湾曲フック状部１の外面９に圧接するので、蓋部材４と変圧器ケース本体２との間において優れたシール機能を発揮する。これによって、変圧器ケース本体２は確実に密封され、このシールＳを使用した密封効果を十分に発揮することができる。なお、シールＳを上記実施の形態のような硬度を有するＮＢＲから構成すれば、締付部材２０にて締付けた際に、シールＳは変圧器ケース本体２と蓋部材４とにバランス良く圧接することができる。
【００２４】
以上にこの発明の柱上変圧器及び柱上変圧器用シールの具体的な実施の形態について説明したが、この発明は上記実施の形態に限られるものではなく、この発明の範囲内で種々変更して実施することが可能である。例えば、シールに使用する材質として、従来からこの種の柱上変圧器用ケースに使用されるものであればよく、またシールの嵌合凹部１２の形状や大きさ等としては、装着される変圧器ケース本体２の形状や大きさ等に応じて変更することができる。
【００２５】
【発明の効果】
請求項１の柱上変圧器用シールによれば、変圧器ケース本体の湾曲フック状部が嵌合凹部に嵌合するので、蓋部材を変圧器ケース本体に装着する際、シールが変圧器ケース本体から落ちたり、位置ずれを起したりすることがない。このため、接着剤等を使用した接着工程を行うことなく、安定して変圧器ケース本体側に装着でき、この状態で蓋部材を変圧器ケース本体に装着することができる。これにより、蓋部材の組み付け作業性は容易となると共に、その作業時間の短縮を達成できる。また、シールは、その平坦状の上面が蓋部材の内面に圧接すると共に、その嵌合凹部の曲面状の嵌合内面が湾曲フック状部の外面に圧接するので、このシールをこの種の変圧器に使用すれば、蓋部材と変圧器ケース本体との間において優れたシール機能を発揮することができる。これによって、ケースからの液漏れ（油漏れ）及び外部からの雨水等の侵入を確実に防止することができ、この種の変圧器用として最適なシールとなる。
【００２６】
請求項２の柱上変圧用シールによれば、第１突部にて、ケース軸心方向の嵌合凹部からの抜けを防止することができるので、安定した状態で蓋部材を変圧器ケース本体に装着することができる。これにより、蓋部材の組み付け作業性の向上を達成できる。
【００２７】
請求項３の柱上変圧器用シールによれば、第１突部は、湾曲フック状部の下方を向く先端縁に相対面するので、ケース軸心方向の嵌合凹部からの抜けを確実に防止することができる。
【００２８】
請求項４の柱上変圧器用シールによれば、第２突部にて、ケース外周方向への嵌合凹部からの抜けを防止するので、安定した状態で蓋部材を変圧器ケース本体２に装着することができる。これにより、蓋部材の組み付け作業性の向上を達成できる。
【００２９】
請求項５の柱上変圧器用シールによれば、第２突部は、内周側から湾曲フック状部を受けるので、ケース外周方向への嵌合凹部からの抜けを確実に防止することができる。
【００３０】
請求項６の柱上変圧器によれば、蓋部材が変圧器ケース本体に装着された状態で、蓋部材と変圧器ケース本体との間を、上記請求項１〜請求項５のいずれかのシールにて密封するので、これらのいずれかのシールが有する効果を有効に発揮することができ、特に、組立作業の容易化を図ることができると共に、確実な密封シール効果を得ることができて高品質の柱上変圧器となる。
【図面の簡単な説明】
【図１】この発明の柱上変圧器の実施形態を示す要部断面図である。
【図２】この発明の柱上変圧器用シールの拡大断面図である。
【図３】従来の柱上変圧器の要部断面図である。
【符号の説明】
１  湾曲フック状部
１ａ  先端縁
２  変圧器ケース本体
３  開口部
４  蓋部材
９  外面
１２  嵌合凹部
１３  嵌合内面
１４  第１突部
１５  第２突部
１６  上面
１７  内面
Ｓ  変圧器用シール
【図１】
2004281852.tif 000003
【図２】
2004281852.tif 000004
【図３】
2004281852.tif 000005